(57)【要約】【課題】所望の画角へのスムーズなズーミング動作、表示、撮影等を実現することができる撮像装置を提供する。【解決手段】被写体を撮影するレンズと、前記レンズを操作する信号の入力を受け付けるレンズ操作部と、前記レンズが集光した光を用いて電子的な画像データを生成する撮像部と、画像データに対応する画像を表示する表示部と、前記表示部の画像表示面上に設けられ、外部からの物体の接触位置に応じた信号の入力を受け付けるタッチパネルと、前記表示部が表示している画像に対し、前記タッチパネルにおける外部からの物体の接触位置に応じて切り換えるべき画角を設定する画角設定部と、前記画角設定部が設定した画角への切り換え制御を前記レンズ操作部における信号の入力に応じて開始する制御部と、を備える。【選択図】図１
2011217284.tif 000002
【特許請求の範囲】
【請求項１】
被写体を撮影するレンズと、
前記レンズを操作する信号の入力を受け付けるレンズ操作部と、
前記レンズが集光した光を用いて電子的な画像データを生成する撮像部と、
画像データに対応する画像を表示する表示部と、
前記表示部の画像表示面上に設けられ、外部からの物体の接触位置に応じた信号の入力を受け付けるタッチパネルと、
前記表示部が表示している画像に対し、前記タッチパネルにおける外部からの物体の接触位置に応じて切り換えるべき画角を設定する画角設定部と、
前記画角設定部が設定した画角への切り換え制御を前記レンズ操作部における信号の入力に応じて開始する制御部と、
を備えたことを特徴とする撮像装置。
【請求項２】
前記制御部は、
前記画角設定部による画角の設定がなされていない場合、前記レンズ操作部の操作時間または操作量に応じた画角の切り換え制御を行うことを特徴とする請求項１に記載の撮像装置。
【請求項３】
前記レンズと、前記レンズ操作部と、前記レンズ操作部で入力を受け付けた信号に基づいて前記レンズの動作を制御するレンズ制御部とを有し、当該撮像装置の本体部から着脱自在であるとともに、前記本体部との間で通信可能であるレンズ部
を備えたことを特徴とする請求項１または２に記載の撮像装置。
【請求項４】
前記撮像部は、
複数の画像データを一定の間隔で連続的に生成することを特徴とする請求項１〜３のいずれか一項に記載の撮像装置。
【発明の詳細な説明】
【技術分野】
【０００１】
本発明は、被写体を撮像して電子的な画像データを生成する撮像装置に関する。
【背景技術】
【０００２】
近年、デジタル一眼レフカメラが急速に普及してきている。デジタル一眼レフカメラは、状況に応じてレンズユニットを交換することができるため、撮影者が多様なシーンにそれぞれ適した画像を撮影することができる。
【０００３】
このような状況下において、レンズユニット内のマイコンがレンズ操作用のズームリングの回転に応じて画角を変化させるズーミング動作を制御する一方、カメラ本体部内のマイコンがズームスイッチの操作に基づいてズーミング動作を制御することができる技術が開示されている（例えば、特許文献１を参照）。この技術では、ズームリングの回転に応じたズーミング動作を、ズームスイッチの操作に基づくズーミング動作よりも優先的に行っている。
【先行技術文献】
【特許文献】
【０００４】
【特許文献１】特開平１０−１０４０５号公報
【発明の概要】
【発明が解決しようとする課題】
【０００５】
ところで、近年のデジタルカメラは、静止画のみならず動画も撮影することができるのが一般的である。動画の場合、撮影者の思い通りのズーム制御が重要であったが、思ったような効果のズーミングを行うことが困難であった。すなわち、動画撮影は、撮影前に操作状態を決定できる静止画撮影とは異なって撮影中に行ったズーミング等の操作の過程が全て記録されてしまう。このため、従来のデジタルカメラの場合、動画撮影時の操作の過程が全て記録されてしまうため、無駄なシーンが含まれて冗長になってしまうことなどがあった。
【０００６】
図１７は、従来のデジタルカメラの問題点をより具体的に説明する図である。従来のデジタルカメラでは、例えば図１７の画像１０１の中央部に写っている人物を拡大するためにズームアップしていくと、人物の顔がちょうど収まっている画像１０２でズーム動作を停止することができず、人物の顔の一部が切れた画像１０３まで拡大してしまうことがよくあった。この場合、撮影者は画像１０２までズームダウンすることによって最適な拡大画像を得ることができるが、画像１０２→画像１０３→画像１０２と続く部分は無駄なシーンである可能性が高い。このため、無駄なシーンを含まずに所望の画角へのスムーズなズーミング動作を実現することができる技術が待望されていた。
【０００７】
本発明は、上記に鑑みてなされたものであって、所望の画角へのスムーズなズーミング動作、表示、撮影等を実現することができる撮像装置を提供することを目的とする。
【課題を解決するための手段】
【０００８】
上述した課題を解決し、目的を達成するために、本発明に係る撮像装置は、被写体を撮影するレンズと、前記レンズを操作する信号の入力を受け付けるレンズ操作部と、前記レンズが集光した光を用いて電子的な画像データを生成する撮像部と、画像データに対応する画像を表示する表示部と、前記表示部の画像表示面上に設けられ、外部からの物体の接触位置に応じた信号の入力を受け付けるタッチパネルと、前記表示部が表示している画像に対し、前記タッチパネルにおける外部からの物体の接触位置に応じて切り換えるべき画角を設定する画角設定部と、前記画角設定部が設定した画角への切り換え制御を前記レンズ操作部における信号の入力に応じて開始する制御部と、を備えたことを特徴とする。
【０００９】
また、本発明に係る撮像装置は、上記発明において、前記制御部は、前記画角設定部による画角の設定がなされていない場合、前記レンズ操作部の操作時間または操作量に応じた画角の切り換え制御を行うことを特徴とする。
【００１０】
また、本発明に係る撮像装置は、上記発明において、前記レンズと、前記レンズ操作部と、前記レンズ操作部で入力を受け付けた信号に基づいて前記レンズの動作を制御するレンズ制御部とを有し、当該撮像装置の本体部から着脱自在であるとともに、前記本体部との間で通信可能であるレンズ部を備えたことを特徴とする請求項１または２に記載の撮像装置。
【００１１】
また、本発明に係る撮像装置は、上記発明において、前記撮像部は、複数の画像データを一定の間隔で連続的に生成することを特徴とする。
【発明の効果】
【００１２】
本発明によれば、タッチパネルにおける外部からの物体の接触位置に応じて切り換えるべき画角を設定し、設定した画角への切り換えを行っているため、設定した画角を逸脱したズーミング動作は行われない。したがって、所望の画角へのスムーズなズーミング動作、表示、撮影等を実現することができる。
【図面の簡単な説明】
【００１３】
【図１】図１は、本発明の一実施の形態に係る撮像装置の構成を示す図である。
【図２】図２は、本発明の一実施の形態に係る撮像装置の前面側の構成を示す斜視図である。
【図３】図３は、本発明の一実施の形態に係る撮像装置の背面側の構成を示す斜視図である。
【図４】図４は、本発明の一実施の形態に係る撮像装置の処理の概要を示すフローチャートである。
【図５】図５は、本発明の一実施の形態に係る撮像装置が行うズーム制御処理の概要を示すフローチャートである。
【図６】図６は、ズーム制御処理において撮影者が画角の設定を行っている状況を示す図である。
【図７】図７は、図６に示す状態における撮影者の右手の指のタッチ位置を示す図である。
【図８】図８は、図７でタッチされた位置に応じて画角設定部が設定する画角の領域を示す図である。
【図９】図９は、本発明の一実施の形態に係る撮像装置が設定画角にしたがって行うズーム制御処理の概要を示すフローチャートである。
【図１０】図１０は、本発明の一実施の形態に係る撮像装置が行う光学ズーム処理の概要を示すフローチャートである。
【図１１】図１１は、光学ズーム処理におけるズーム位置の変化パターンの例を示す図である。
【図１２】図１２は、本発明の一実施の形態に係る撮像装置が行う電子ズーム処理の概要を示すフローチャートである。
【図１３】図１３は、電子ズーム処理における画像表示の変化の態様を示す図である。
【図１４】図１４は、画角の別な設定方法を示す図である。
【図１５】図１５は、図１４に示す設定方法によって画角設定部が設定する画角の領域を示す図である。
【図１６】図１６は、レンズ操作部の別な構成例を示す図である。
【図１７】図１７は、従来の撮像装置の問題点を説明する図である。
【発明を実施するための形態】
【００１４】
以下、添付図面を参照して、本発明を実施するための形態（以下、「実施の形態」という）を説明する。
【００１５】
図１は、本発明の一実施の形態に係る撮像装置の構成を示す図である。図２は、本実施の形態に係る撮像装置の被写体に面する側（前面側）の構成を示す斜視図である。図３は、本実施の形態に係る撮像装置の撮影者に面する側（背面側）の構成を示す斜視図である。同図に示す撮像装置１は、デジタル一眼レフカメラであり、本体部２と、本体部２に着脱可能なレンズ部３とを備える。
【００１６】
本体部２は、撮像部２１、操作入力部２２、表示部２３、タッチパネル２４、本体通信部２５、時計２６、記憶部２７、および制御部２８を備える。
【００１７】
撮像部２１は、レンズ部３が集光した光を受光して電気信号に変換するＣＣＤ（Charge Coupled Device）等の撮像素子と、撮像素子から出力されるアナログ信号に増幅等の信号処理を施した後、Ａ／Ｄ変換を行うことによってデジタルの画像データを生成する信号処理回路とを有する。
【００１８】
操作入力部２２は、図３等に示すように、電源スイッチ２２１と、撮像装置１の撮像指示を与えるレリーズ信号を入力するレリーズスイッチ２２２と、レンズ部３のズーム操作を行うズームスイッチ２２３と、撮像装置１の各種設定を行う設定用スイッチ２２４とを有する。
【００１９】
表示部２３は、液晶または有機ＥＬ（Electro Luminescence）等からなる表示パネルを用いて実現され、画像データのほかに撮像装置１の操作情報や撮影に関する情報を適宜表示する。 
【００２０】
タッチパネル２４は、表示部２３の表示画面上に設けられる（図３を参照）。タッチパネル２４は、撮影者が表示部２３で表示される情報に基づいて接触した位置を検出し、この接触位置に応じた操作信号の入力を受け付ける。一般に、タッチパネルとしては、抵抗膜方式、静電容量式、光学式等がある。本実施の形態では、いずれの方式のタッチパネルであっても適用可能である。
【００２１】
本体通信部２５は、本体部２に装着されたレンズ部３との通信を行うための通信インタフェースである。
【００２２】
記憶部２７は、撮像装置１の内部に固定的に設けられるフラッシュメモリやＤＲＡＭ（Dynamic Random Access Memory）等の半導体メモリを用いて実現される。記憶部２７は、画像データを記憶するとともに、本体部２に装着可能なレンズ部３の種類に応じたズーム速度等の情報を記憶する。なお、記憶部２７が、外部から装着されるメモリカード等のコンピュータ読取可能な記録媒体に対して情報を記録する一方、記録媒体が記録する情報を読み出す記録媒体インタフェースとしての機能を有してもよい。
【００２３】
制御部２８は、撮像部２１から出力されたデジタル信号に対して所定の信号処理を行うとともに本体部２の動作制御を行うものであり、ＣＰＵ（Central Processing Unit）等を用いて実現される。制御部２８は、撮像した画像に含まれる被写体の顔を検出する顔検出部２８１と、タッチパネル２４の入力に応じて切り換えるべき画角を設定する画角設定部２８２と、撮像部２１が撮像した動画データを圧縮する動画圧縮部２８３とを有する。
【００２４】
なお、本体部２に対して、音声入出力機能、およびインターネットを介した通信を行う通信機能を具備させてもよい。
【００２５】
レンズ部３は、ズームレンズ３１、レンズ駆動部３２、位置判定部３３、レンズ操作部３４、レンズ通信部３５、レンズ制御部３６を備える。ズームレンズ３１は複数のレンズ群によって構成され、画角を変化させる機能を有する。位置判定部３３は、ズームレンズ３１のズーム位置を判定する。レンズ操作部３４は、図２に示すように、レンズ部３のレンズ鏡筒の周囲に設けられるズームリングである。なお、図示はしないが、レンズ部３は、ズームレンズ３１が集光した光の入射量を調整する絞りを有する。
【００２６】
次に、以上の構成を有する撮像装置１が行う処理について説明する。図４は、撮像装置１が行う処理の概要を示すフローチャートである。図４において、撮像装置１の電源がオンになっている場合（ステップＳ１：Ｙｅｓ）、撮像装置１が一定の微小な時間間隔で複数の画像データを連続的に生成する動画撮影モードに設定されているとき（ステップＳ２：Ｙｅｓ）、制御部２８は表示部２３にスルー画像を表示させる（ステップＳ３）。ステップＳ１で撮像装置１の電源がオンになっていない場合（ステップＳ１：Ｎｏ）、撮像装置１は処理を終了する。
【００２７】
ステップＳ３の後、レリーズスイッチ２２２が押されて撮影開始の指示信号が入力されると（ステップＳ４：Ｙｅｓ）、制御部２８は撮像部２１における撮影を開始する制御を行う（ステップＳ５）。撮影開始の指示信号が入力されない場合（ステップＳ４：Ｎｏ）、撮像装置１は後述するステップＳ６へ移行する。
【００２８】
ステップＳ６において、レンズ部３の位置判定部３３は、レンズ制御部３６の制御のもとでズームレンズ３１の位置を判定し、レンズ通信部３５を介して判定結果を本体部２へ送信する（ステップＳ６）。
【００２９】
制御部２８は、本体通信部２５を介してレンズ部３から送信されてきたズームレンズ３１の位置判定結果を受信し、この位置判定結果に基づいてズームレンズ３１がズーム動作を行っているか否かを判定する（ステップＳ７）。判定の結果、ズームレンズ３１がズーム動作中でない場合（ステップＳ７：Ｎｏ）、制御部２８はズーム制御を行う（ステップＳ８）。このズーム制御の詳細については後述する。
【００３０】
一方、ステップＳ７における判定の結果、ズームレンズ３１がズーム動作中である場合（ステップＳ７：Ｙｅｓ）、制御部２８は本体部２、レンズ部３の操作判定を行う（ステップＳ９）。具体的には、制御部２８は、本体部２の操作入力部２２およびレンズ部３のレンズ操作部３４による信号入力の有無を判定する。このうち、レンズ操作部３４による信号入力の有無については、レンズ制御部３６からレンズ通信部３５を介して送信されてくる操作信号の有無に応じて判定を行う。
【００３１】
ステップＳ９において制御部２８が操作判定を行った結果、レンズ操作部３４によってズーミング動作を打ち消す操作信号が入力された場合（ステップＳ１０：Ｙｅｓ）、制御部２８は、本体通信部２５を介してズームレンズ３１のズーム動作停止信号をレンズ部３へ送信する。本体部２からズーム動作停止信号を受信したレンズ部３は、レンズ制御部３６の制御のもとでレンズ駆動部３２を駆動を停止することによってズーム動作を停止する（ステップＳ１１）。
【００３２】
ステップＳ９において制御部２８が操作判定を行った結果、レンズ操作部３４によってズーミング動作を打ち消す操作信号が入力されず（ステップＳ１０：Ｎｏ）、操作入力部２２によってズーミング動作を打ち消す操作信号が入力された場合（ステップＳ１２：Ｙｅｓ）、撮像装置１はステップＳ１１へ移行する。
【００３３】
ステップＳ９において制御部２８が操作判定を行った結果、レンズ操作部３４および操作入力部２２のいずれでもズーミング動作を打ち消す操作信号が入力されない場合（ステップＳ１０：Ｎｏ，ステップＳ１２：Ｎｏ）、撮像装置１は後述するステップＳ１３へ移行する。
【００３４】
ステップＳ８またはステップＳ１１の後、撮像装置１が撮影中であって撮影終了操作が入力された場合（ステップＳ１３：Ｙｅｓ）において、ズームレンズ３１がズーム動作中であるとき（ステップＳ１４：Ｙｅｓ）、制御部２８は、ズーム動作を停止する制御を行う（ステップＳ１５）。その後、制御部２８は、撮像部２１における撮影動作を終了する制御を行う（ステップＳ１６）。ステップＳ１４においてズームレンズ３１がズーム動作中でない場合（ステップＳ１４：Ｎｏ）、撮像装置１はステップＳ１６へ移行する。
【００３５】
ステップＳ１６に続いて、制御部２８は、動画圧縮部２８３で一連の画像データに圧縮等の処理を施した後、その一連の画像データを記憶部２７へ記録する（ステップＳ１７）。ステップＳ１７の後、撮像装置１はステップＳ１へ戻る。
【００３６】
ステップＳ１３において、撮像装置１が撮影中であって撮影終了操作が入力されない場合（ステップＳ１３：Ｎｏ）、撮像装置１はステップＳ１へ戻る。
【００３７】
次に、撮像装置１が静止画撮影モードに設定されている場合（ステップＳ２：Ｎｏ、ステップＳ１８：Ｙｅｓ）を説明する。この場合、まず制御部２８は表示部２３にスルー画像を表示させる（ステップＳ１９）。その後、レリーズスイッチ２２２が押されて撮影開始の指示信号が入力されると（ステップＳ２０：Ｙｅｓ）、制御部２８は撮影制御を行う（ステップＳ２１）。続いて、制御部２８は、生成された画像データを記憶部２７へ記録し（ステップＳ２２）、ステップＳ１へ戻る。なお、ステップＳ２０で撮影開始の指示信号が入力されない場合（ステップＳ２０：Ｎｏ）、撮像装置１はステップＳ１へ戻る。
【００３８】
次に、撮像装置１が再生モードに設定されている場合（ステップＳ２：Ｎｏ，ステップＳ１８：Ｎｏ，ステップＳ２３：Ｙｅｓ）を説明する。この場合において、まず制御部２８は、所定の画像を記憶部２７から読み出して表示部２３で再生表示させる（ステップＳ２４）。ここで最初に表示する画像は、例えば最新の画像である。その後、操作入力部２２によって画像の変更を指示する変更指示信号が入力された場合（ステップＳ２５：Ｙｅｓ）、制御部２８は指示された別の画像を記憶部２７から読み出して表示部２３で表示させる（ステップＳ２６）。ステップＳ２５で変更指示信号が入力されない場合（ステップＳ２５：Ｎｏ）、操作入力部２２によって再生終了の指示信号が入力されたとき（ステップＳ２７：Ｙｅｓ）、撮像装置１はステップＳ１に戻る。ステップＳ２７で操作入力部２２によって再生終了の指示信号が入力されないとき（ステップＳ２７：Ｎｏ）、撮像装置１はステップＳ２５に戻る。
【００３９】
図５は、図４のステップＳ８のズーム制御処理の概要を示すフローチャートである。まず、レンズ部３でレンズ操作部３４によるズーム操作信号の入力がなく（ステップＳ３１：Ｎｏ）、本体部２で操作入力部２２のズームスイッチ２２３によるズーム操作信号の入力がない場合（ステップＳ３２：Ｎｏ）を説明する。この場合において、タッチパネル２４の２箇所で外部からの物体の接触によるタッチ入力がなされた場合（ステップＳ３３：Ｙｅｓ）、画角設定部２８２はタッチ入力された２箇所を用いてズーム操作によって切り換えるべき画角を設定する（ステップＳ３４）。ステップＳ３４の後、撮像装置１はメインルーチンへ戻る。ステップＳ３３において、タッチパネル２４の２箇所で外部からの物体の接触によるタッチ入力がなされない場合（ステップＳ３３：Ｎｏ）、撮像装置１はメインルーチンへ戻る。
【００４０】
図６は、ズーム制御処理において撮影者が画角の設定を行っている状況を示す図である。図７は、図６に示す状態における撮影者の右手の指のタッチ位置を示す図である。撮影者は、ズーム動作を行わない状態で、右手の二つの指（図６では親指と人差し指）をタッチパネル２４に接触させることにより、ズームしたい領域の対角線上の位置を指定する。
【００４１】
図８は、図７で撮影者が二つの指をタッチした位置に応じて画角設定部２８２が設定する画角を模式的に示す図である。図８に示すように、画角設定部２８２は、二つの指のタッチ領域Ｐ１、Ｐ２を含み、タッチ領域Ｐ１、Ｐ２が対角線の近傍に位置するとともに縦横比が表示部２３の縦横比と同じになるように画角を設定する（領域Ｄ）。
【００４２】
次に、レンズ部ズーム操作がなく（ステップＳ３１：Ｎｏ）、本体部ズーム操作がある場合（ステップＳ３２：Ｙｅｓ）を説明する。この場合、制御部２８は、ズームスイッチ２２３の操作にしたがってズーム制御を行い、制御信号をレンズ部３へ送信する（ステップＳ３５）。レンズ部３は、本体部２から受信した制御信号に基づいて、レンズ制御部３６がレンズ駆動部３２を駆動し、ズームレンズ３１を駆動する。その後、制御部２８は、レンズ部３からズーム結果を示す信号を受信することによってズームレンズ３１におけるズーム結果を取得する（ステップＳ３６）。ここでいうズーム結果には、位置判定部３３によるズームレンズ３１の位置判定結果も含まれる。
【００４３】
次に、レンズ部ズーム操作がある場合（ステップＳ３１：Ｙｅｓ）を説明する。この場合において、ズーム用の画角が設定済みでなければ（ステップＳ３７：Ｎｏ）、レンズ操作部３４によって入力されるズーム信号に基づいて、レンズ制御部３６がレンズ駆動部３２を駆動してズームレンズ３１をズーム制御する（ステップＳ３８）。その後、撮像装置１はステップＳ３６へ移行する。ステップＳ３１におけるレンズ部ズーム操作は、図６に示すように、撮影者が左手でレンズ操作部３４を回転させることによって行われる。したがってこの場合、撮影者はメカ的なズーム操作と同様の操作感を得ることができる。さらに、撮影者が大きめの交換レンズを有するレンズ部２を装着した撮像装置１を保持する場合であっても、撮影者はそのような交換レンズを支えながらの操作を迅速かつ直感的に行いやすい。このため、撮影者が迷いなく画角を決定したり、撮影者の思い通りのタイミングで効果的なズーム制御を行ったりすることが可能となる。
【００４４】
次に、レンズ部ズーム操作があり（ステップＳ３１：Ｙｅｓ）、ズーム用の画角が画角設定部２８２によって設定済みである場合（ステップＳ３７：Ｙｅｓ）を説明する。この場合、制御部２８は設定された画角にしたがってズーム制御を行う（ステップＳ３９）。以下、図９〜図１３を参照してステップＳ３７の処理を詳細に説明する。
【００４５】
図９は、ステップＳ３９の処理の概要を示すフローチャートである。設定画角が光軸を含むように設定されている場合（ステップＳ４１：Ｙｅｓ）、制御部２８は光学ズームによるズーム制御を行う（ステップＳ４２）。一方、設定画角が光軸を含むように設定されていない場合（ステップＳ４１：Ｎｏ）、制御部２８は電子ズームによるズーム制御を行う（ステップＳ４３）。ステップＳ４２またはＳ４３の後、撮像装置１は図５に示すステップＳ３６へ移行する。
【００４６】
図１０は、ステップＳ４２における光学ズーム処理の概要を示すフローチャートである。まず、制御部２８は、レンズ部３から送信されてくる情報をもとにしてレンズ部３のレンズ種別を判定する（ステップＳ５１）。ここで制御部２８が受信する情報は、レンズ部３に固有の情報（識別情報）等である。
【００４７】
続いて、撮像装置１が撮影中である場合（ステップＳ５２：Ｙｅｓ）、制御部２８はズーム位置の変化パターンを光学ズーム用撮影時パターンに設定する（ステップＳ５３）。その後、制御部２８は、設定したズーム位置の変化パターンに応じたズーム制御を行う（ステップＳ５５）。これにより、光学ズーム処理が終了する。
【００４８】
ステップＳ５２において撮像装置１が撮影中でない場合（ステップＳ５２：Ｎｏ）、制御部２８はズーム位置の変化パターンを光学ズーム用非撮影時パターンに設定し（ステップＳ５３）、ステップＳ５５へ移行する。
【００４９】
図１１は、光学ズーム処理におけるズーム位置の変化パターンの例を示す図である。図１１において、曲線Ｌ１は光学ズーム用撮影時パターンに対応する一方、直線Ｌ２は光学ズーム用非撮影時パターンに対応している。図１１からも明らかなように、撮影時にズーム位置が目標位置まで到達するまでの時間（到達時間という）ｔ1gあは、非撮影時の到達時間ｔ2よりも長い。例えば、ｔ1を３秒とし、ｔ2を１秒とすることができる。また、非撮影時は目標位置までのズーム速度が一定である（直線Ｌ２）のに対し、撮影時は目標位置に近づくほどズーム速度が遅くなっている（曲線Ｌ１）。このようにすることで、非撮影時はなるべく速く目標位置まで到達させることができる一方、撮影時は目標位置までの到達の過程の見易さも考慮しつつ、目標位置付近の画像を比較的長い時間撮影することが可能となる。
【００５０】
このようにして、撮影者が指で指定した画角にズーミング処理を行わせることにより、図１７に示す画像１０２→画像１０３→画像１０２のシーンを含まないように動画を撮影することが可能となる。
【００５１】
なお、到達時間ｔ1、ｔ2の値は、レンズ部３の種類に応じて設定してもよいし、撮影者がその都度設定できるようにしてもよい。また、変化パターンは必ずしも図１１に示すような曲線または直線でなくてもよい。例えば、撮影時の変化パターンを直線的にしてもよいし、非撮影時の変化パターンを曲線的にしてもよい。また、目標位置までズームアップした後、ズームダウンして元の画角に戻すような場合には、目標位置到達時の時間を通過しかつ時間軸と直交する軸を対称軸として、ズーム位置を対称に時間変化させるようにしてもよい。例えば、非撮影時の場合、目標位置到達前は、直線Ｌ２に沿ってズーム位置を時間変化させる一方、目標位置到達後は、直線Ｌ２の傾きと大きさが等しくかつ符号が異なる傾きを有する直線に沿ってズーム位置を時間変化させるようにしてもよい。
【００５２】
図１２は、ステップＳ４３における電子ズーム処理の概要を示すフローチャートである。図１２において、撮像装置１が撮影中である場合（ステップＳ６１：Ｙｅｓ）、制御部２８はズーム位置の変化パターンを電子ズーム用撮影時パターンに設定する（ステップＳ６２）。続いて、制御部２８は、設定したズーム位置の変化パターンに応じたズーム制御を行う（ステップＳ６３）。これにより、電子ズーム処理が終了する。
【００５３】
ステップＳ６１において撮像装置１が撮影中でない場合（ステップＳ６１：Ｎｏ）、制御部２８はズーム位置の変化パターンを電子ズーム用非撮影時パターンに設定し（ステップＳ６４）、ステップＳ６３へ移行する。
【００５４】
撮影時および非撮影時のズーム位置の変化パターンは、光学ズームの場合における撮影時および非撮影時のズーム位置の変化パターンとそれぞれ同様である（図１１を参照）。ただし、各変化パターンの目標位置への到達時間が異なることはいうまでもない。
【００５５】
図１３は、電子ズーム処理における画像表示の変化の態様を示す図である。光軸を含まない領域Ｄ１は、徐々に大きくなりながら画面中央部に移動していき（図１３の領域Ｄ２を参照）、最終的に表示部２３の画面全体となる。このように、撮像装置１では、光軸を含まない領域で画角が設定された場合であっても、電子ズームによって光学ズームの場合と同様のズーミング制御を行うことができる。
【００５６】
以上説明した本発明の一実施の形態によれば、タッチパネルにおける外部からの物体の接触位置に応じて切り換えるべき画角を設定し、設定した画角への切り換えを行っているため、設定した画角を逸脱したズーミング動作は行われない。したがって、所望の画角へのスムーズなズーミング動作、表示、撮影等を実現することができる。
【００５７】
なお、本発明において、タッチパネル２４に一本の指のみを接触させることによって画角を設定できるようにすることも可能である。例えば、図１４に示すように、撮影者が右手の人差し指で被写体の顔の部分をタッチした場合、画角設定部２８２は、タッチ部分に含まれる顔を所定の大きさで含むような領域を設定する。図１５は、このような領域の設定例である。図１５に示すように、画角設定部２８２は、指のタッチ領域Ｐ３の情報と顔検出部２８１が検出した被写体の顔情報とに基づいて、指のタッチ部分Ｐ３を含む顔を所定の割合で含むような画角を設定する（領域Ｄ'）。
【００５８】
また、本発明において、レンズ操作部３４として、ズームリングの代わりにピント合わせリングを適用してもよい。また、レンズ操作部３４として、図１６に示すような二つのスイッチ４１、４２をズームレンズ３１の周辺に設けてもよい。この二つのスイッチ４１、４２は、レンズ操作部３４をズームリングとした場合のズームリングの二つの回転方向に相当している。
【００５９】
また、本発明を静止画撮影時のズーミング制御に適用することも可能である。
【符号の説明】
【００６０】
１  撮像装置
２  本体部
３  レンズ部
２１  撮像部
２２  操作入力部
２３  表示部
２４  タッチパネル
２５  本体通信部
２６  時計
２７  記憶部
２８  制御部
３１  ズームレンズ
３２  レンズ駆動部
３３  位置判定部
３４  レンズ操作部
３５  レンズ通信部
３６  レンズ制御部
４１、４２  スイッチ
２２１  電源スイッチ
２２２  レリーズスイッチ
２２３  ズームスイッチ
２２４  設定用スイッチ
２８１  顔検出部
２８２  画角設定部
２８３  動画圧縮部
【図１】
2011217284.tif 000003
【図２】
2011217284.tif 000004
【図３】
2011217284.tif 000005
【図４】
2011217284.tif 000006
【図５】
2011217284.tif 000007
【図６】
2011217284.tif 000008
【図７】
2011217284.tif 000009
【図８】
2011217284.tif 000010
【図９】
2011217284.tif 000011
【図１０】
2011217284.tif 000012
【図１１】
2011217284.tif 000013
【図１２】
2011217284.tif 000014
【図１３】
2011217284.tif 000015
【図１４】
2011217284.tif 000016
【図１５】
2011217284.tif 000017
【図１６】
2011217284.tif 000018
【図１７】
2011217284.tif 000019